【手続補正書】
【提出日】平成18年5月2日(2006.5.2)
【手続補正１】
【補正対象書類名】特許請求の範囲
【補正対象項目名】請求項１
【補正方法】変更
【補正の内容】
【請求項１】
支点台に支持されてシーソーの縦揺れ運動のように垂直面内で揺動し、装置自体の構造的制限内で任意の傾き角度に設定可能なガイドバー上に電動機による動力伝達を受けて手動あるいは自動的に往復移動する指標を備え、かつ、支点台取付部材に水平面内で９０度近傍の制限つき往復回転機構、あるいは制限を設けずに自由に回転可能な機構を有して、
１．左右水平方向、２．右斜め上から左斜め下及びその逆方向、３．左斜め上から右斜め下及びその逆方向、４．目線の上下方向、５．遠近方向、の５方向に対する眼筋トレーニングを可能ならしめることを特徴とする視力回復・改善の為の眼筋トレーニング装置。
【手続補正２】
【補正対象書類名】明細書
【補正対象項目名】全文
【補正方法】変更
【補正の内容】
【発明の詳細な説明】
【発明の名称】眼筋トレーニング装置
【技術分野】
【０００１】
この発明は、眼筋の機能の衰えにより視力が低下した人の視力回復・改善の為のトレーニング装置に関するものである。
【背景技術】
【０００２】
これまでの視力回復トレーニング装置の構造を見ると、遠近方向のトレーニングが主体となっており、眼筋の中でも内眼筋の毛様体筋の調節機能の回復にねらいが絞られている。また、トレーニングに際し、トレーニングを受ける者は装置が設置されている特定の場所に出向いて、患者と検査者という関係の中で訓練が行われるので、必然的に時間と場所と使用上の制約を受ける。
【０００３】
【特許文献１】特開昭６０−０４８７４３号公報
【特許文献２】特開平６−３３９５０１号公報
【特許文献３】特開２００１−６１９１７号公報
【発明の開示】
【発明が解決しようとする課題】
【０００４】
眼球自体には視力調整機能の低下以外に特別な疾患も無く、眼科の診察を受ければ視力検査をして適当な度のめがねを勧められるだけで、肝心の視力回復の為の治療は施されないし、回復方策の推奨も得られない。
昨今特別な施設に行けば、それなりのトレーニングを受けることも可能であるが、なかなか時間的な問題や経済的な問題で継続利用が困難であったり、あるいは最初から躊躇してあきらめる。このことは発明者自身の体験でもあり、今回の考案を申請するに至った動機でもある。
【０００５】
発明者は、例えば、肩の筋肉が凝ってくると筋肉自体の伸びが悪くなり腕や首の動きが妨げられることがあるのと同じように、外眼筋の硬直化もなにがしか視力に悪影響を与えるのではないだろうか、との疑問を持っており、従って、課題として次の２点を挙げる。
１．  視力回復トレーニングの対象として、外眼筋（上・下直筋、内・外側直筋、上・下      斜筋）の運動機能にも着目し、これら外眼筋の硬直化をほぐすことも兼ねたトレー      ニング装置ができないか？
２．  自宅等でいつでも自分の好きな時に簡単に利用できる装置ができないか？
【課題を解決するための手段】
【０００６】
支点台に支持され、正面垂直面内をシーソーのように動かすことが可能なガイドバーに往復移動する指標を備え、その指標を目線で追うことにより、１．左右水平方向、２．右斜め上から左斜め下及びその逆方向、３．左斜め上から右斜め下及びその逆方向のトレーニング  を可能とし、更に、受け台を水平面内で回転可能な構造（便宜上９０度範囲で制限を設ける。）にすることで、ガイドバーを適度に傾けた状態で  ４．目線の上下方向  のトレーニングができる。
【０００７】
これらにより、外眼筋（内・外側直筋、上・下斜筋、上・下直筋）に対して定量的な反復運動を与えられるトレーニング装置とすることができる。
【０００８】
前述１.〜４．の各方向に対するトレーニングでは、同時に、内眼筋である毛様体筋もトレーニングしているわけであるが、特に毛様体筋を対象にした  ５．遠近方向  のトレーニングも、ガイドバーを水平にし（水平は必要条件ではないが、表現を申請図面に合せる。）、ガイドバー端部から往復移動する指標を追うことにより定量的反復トレーニングが可能である。このとき、ガイドバーに手を添えて行うが、目が直接ガイドバー端部に当たる危険を防止するため、ガイドバー端部の傾斜部に鼻の傾斜部を直接当て、相対的な動きをゼロにして行う。
【０００９】
指標の移動用駆動装置には可逆回転可能な減速装置内蔵型小型電動機（以下「モータ」と称す）を使用する。モータの取付けは支点台等の静的位置に取付ける方法とガイドバー側面（静的位置に対して動的位置）に直付けする方法がある。
【００１０】
指標を取付けるスライダを牽引するストリングには細くて強靭で弾力性に富んだ材料が望ましく、バトミントン専用のストリングを採用する。ストリングの取付法はスライダ側とリール側の両端部にカシメ用のスリーブを利用してカシメて固定する方法を採用する。ストリングの張りは２個のリールを同一回転軸の下に組み合わせて位相を違えて巻き取ることで、弛みを排除できるだけでなく適度な張りを得ることができる。経年的なゆるみが発生しても、２個のリールの相対的位置を決定付けている複数のスプリングピンを抜き取
り、ストリングを一方のリールに巻き取って弛みの解消と適度な張りを与えた後、再度挿入することで、調整が可能である。
【００１１】
利用者の身長の違いを考えて装置の支柱部をレベル調整可能な構造とする。
【００１２】
ガイドバーの長さは、卓上でシーソーのように傾けて使用することから構造的に１ｍ未満が適当であるが、装置を床から立てるスタンド型にすることで更に長いガイドバーとすることも可能である。しかしながら、前述１．〜４．のトレーニングではガイドバーをむやみに長くしても費用対効果は小さいと考える。動体視力の訓練用には有効な手段ともなりうるが、本提案の趣旨と異なる。
【００１３】
ガイドバーの長さが短い分、指標の形やガイドカバー表面に細い線を入れる等で、視力低下の程度が軽く短い長さでは頼りないと感じる人にもトレーニングの意欲が引き出せるよう配慮する。
【発明の効果】
【００１４】
本発明は、一定区間を往復移動する指標を目線で追うことにより、左右・斜め上下・目線の上下・遠近方向といった、日常の眼球の動きのほぼ全方向に対して定量的な反復運動を与え、眼筋トレーニングを簡単に実施できるようにしたもので、持ち運びが可能なた
め、電源があれば、いつでもどこでも自分の好きなときにトレーニングができる。
【００１５】
また、低下した視力の回復・改善の為のトレーニングだけでなく、眼を酷使する職業関係者の視力低下を予防するトレーニング装置としても活用することができる。
【００１６】
本装置が社会的に広く普及することになれば、産業に与える効果も大きいものが予想される。
【実施例１】
【００１７】
本装置の外形図を図１〜図３に示す。本装置の使用法は、１．左右水平方向、２．右斜め上から左斜め下及びその逆方向、３．左斜め上から右斜め下及びその逆方向の各トレーニングを行うときには、図１（ｂ）の要領でクッション５７に顎を乗せ、ガイドバー１４を所定の角度に配置して行う。指標１７は電源を入れると自動的に往復移動を行うので、特に手動で反転させる必要がなければ、両手はグリップ９１を握って行う。４．目線の上下方向のトレーニングはガイドバー１４を適度に傾けた状態で、受け台１０を支点台１１ごと９０度回わして（図２（ａ）の状態）、図２（ｂ）の要領でガイドバー１４を最大に傾け片手を下端に添え、鼻先が指標に接触しない程度に顔をガイドバー１４と平行になるように近づけて行い、５．遠近方向は図３の要領で片手をガイドバー１４に添えて行う。
（ガイドバーの配置を換えることを、以下説明では「モードの変更」と称する。）
【００１８】
本発明の主な構成は、脚部、支柱部、受け台部、駆動用モータ部及びガイドバー部からなり、以下に実施例１の構成の詳細について記述する。
【００１９】
脚部には、図４及び図９に示すように、脚１の下には装置を水平に設置するためのアジャスタ４４を備え、脚１に埋め込まれたナット４１及びナガナット４３との組合せで、多少の傾斜面等に装置を設置した場合でも傾きの調整ができる。
【００２０】
脚１中央部には下部支柱２を取り付けるための座を有し、中心部及び前方には電気配線のための空間を有す。トレーニング中は装置を抱きかかえるような体勢となるので楽な姿勢でトレーニングができるよう脚１後方にグリップ９１を設けた。脚１前面上部に操作箱
６６を取り付ける。
【００２１】
支柱部は、トレーニング者の身長の違いにも対応できるよう、図４に示すように、下部支柱２と上部支柱３に分け、上部支柱３を上下にスライドさせることで受け台１０のレベル調整が可能な構造とする。支柱部の組立要領・構造を以下に述べる。
【００２２】
下部支柱２のフランジ部を脚１の取付座に配線用穴が前方に来るよう挿入し（組込で自動的に位置が決まる構造としている。）、ボルトＡ４５、ナット５０及びバネザガネ５１を用いて取付ける。
【００２３】
ロックナット８に上部支柱３を挿入し、押えネジ４、プッシュリング５、ロックリング６も上部支柱３にあらかじめ取り付け、下部支柱２内面の凸部と上部支柱３外面の溝が合うようにして上部支柱３を挿入する。特殊スパナ１２０を用いて押えネジ４を締付け、
ロックリング６をプッシュリング５で押さえつけて上部支柱３を任意のレベルで固定す
る。（仮締め。最終使用段階でレベル再調整。）
【００２４】
プッシュリング５の上部には３箇所、等分ピッチでスリットを設け、材料の弾性を利用して押えネジ４の穴にあらかじめ取り付けておく。押えネジ４を緩める際には自動的に
プッシュリング５も引き上げられる構造とする。
【００２５】
上部支柱３の内部は、電気配線及び質量軽減のため中空とする。
【００２６】
上部支柱３のトップには受け台１０の水平回転角度を９０度に制限するための爪を設け
る。また、レベル調整可能な範囲の軸外径部にはわずかにテーパを設け押えネジ４を緩めても上部支柱３が簡単に落下しない構造とする。
【００２７】
受け台部は図４に示すように、受け台１０、接続座９、クッション５７及び支点台部で構成される。取付時は接続座９及び支点台１１と共にボルトＢ４６、ナット５０及びバネザガネ５１で３枚締めする。３枚締めは、支点台１１下面から受け台１０の中心穴を通す電気配線完了後に行う。接続座９には結合用ネジを設け、ロックナット８で上部支柱３と接続する。
【００２８】
接続座９の下面には、０度と９０度回転位置で上部支柱３の爪を受ける構造的なストッパを設ける。ロックナット８を締付けてもストッパ部下面と上部支柱３の上部合せ面との間はルーズな締りで回転可能な状態となる構造とする。
【００２９】
クッション５７は着脱可能で、トレーニング中のアゴ部の負担を軽減する。
【００３０】
支点台部は支点台１１の他、軸受Ａ１２、軸受Ｂ１３、角度割出用リテイナプレート
３８、鼻当て４７及び電気配線用カバー７８からなる。
【００３１】
軸受Ａ１２及び軸受Ｂ１３はガイドバー１４の回転中心部に取付けられた軸部を保持する機能を持ち、ガイドバー１４の横方向から軸に装着し、支持台１１の上面に取付ける。
軸受１２の軸受部下面には切り欠きを設けてマイクロスイッチからの電気配線を通せる構造としている。
軸受Ａ１２及び軸受Ｂ１３の取付けは、ガイドバー部の組立完了後に行う。
【００３２】
鼻当て４７は着脱可能とする。ガイドバー部を支持台１１に取付け後、取付ける。
鼻当ては、鼻先を当ててトレーニングすることで目線の移動時に顔面が振れてないか自己チェックするためのものある。
【００３３】
リテイナプレート３８を取付ける。
リテイナプレート３８には等分ピッチでプランジャ３７のボールを受け止める為の穴を設けており、ガイドバー１４の傾きを１５°ピッチで、−６０°〜０°〜＋６０°に角度設定ができる。（最大可動位置６５度では手を添えて保持する。）
【００３４】
支点台１１背面にはモータ座２８用の取付け座を設け、一体構造とする。
【００３５】
支点台１１の前・後面及び下面には電気配線のための溝を設けており、前面からはガイドバー１４に取付けられたマイクロスイッチからの電気配線、後面からはモータ１９からの電気配線を通し、配線終了後には配線カバー７８を取付ける。
【００３６】
駆動用モータ部は、図４、５に示すように、モータ１９、モータ座２８、平歯車Ａ８３及びモータカバー２０から成る。モータ１９の取り付けは、先にモータ１９をモータ座２８に取付け、その後支点台１１のモータ座取付け位置に仮締めする。ガイドバー部に取付けられる歯車との最終調整後に本締めを行う。
【００３７】
ガイドバー部は、ガイドバー１４とこれに付属する部品からなり、図４、図５〜８に詳細を示す。
【００３８】
図４にガイドバー１４中央部の回転伝達のための歯車機構及びプランジャ３７の取付け配置状況を示す。
【００３９】
図５はリールＡ６４、リールＢ６５、ストリングＡ９５及びストリングＢ９６の組込要領と歯車列の配置及びプランジャ３７のバネ力により支点台１１の壁面に押し付けられているガイドバー１４の側面接触部の形状と最大振り角度６５度傾けたときの支点台壁面との相対位置関係を示す。
【００４０】
以下に回転伝達機構部の組込要領及びストリングの取付要領を述べる。
（図４〜８参照）
【００４１】
ガイドバー１４はまだ軸受Ａ１２及び軸受Ｂ１３に組み込まれる前の状態にある。ガイドバー１４のモータ側軸に針状ころ軸受５８を挿入する。（図５参照）
【００４２】
平歯車Ｄ８６用の玉軸受Ａ８８（２個）と平歯車Ｅ８７用の玉軸受Ｂ８９と玉軸受Ｃ
９０も同様に取付ける。（図５参照）
【００４３】
平歯車Ｂ８４の軸部にスペーサ９４を挿入した状態で、針状ころ軸受５８に通し、平歯車Ｃ８５を組込む。平歯車Ｃ８５組込時には、平歯車Ｂ８４の面取りした軸断面の形状に合うよう挿入穴の位置を合せて組込む（平歯車Ｃ８５側には指が入らないので専用の組込要具を用いる）。（図５参照）
【００４４】
平歯車Ｄ８６を玉軸受Ａ８８に組込む。（図５参照）
【００４５】
ストリングＡ９５とストリングＢ９６の取付けは、あらかじめ、それぞれのストリングを所定の長さに切り、一端を図５に示す要領でそれぞれリールＡ６４、リールＢ６５の外周からオーバルスリーブ３１の格納部に通し、「カシメ部詳細」に示す要領でオーバルスリーブ３１に２度通した後、カシメて固定する。
【００４６】
ストリングＡ９５とストリングＢ９６他端は、図６に示す要領でスライダ１６の引っ掛け部に掛ける輪を作り、オーバルスリーブ３１に３度通す形でカシメて固定する。
【００４７】
ストリングＡ９５、ストリングＢ９６を取り付ける前に、図６に示すマイクロスイッチ３４、マイクロスイッチ押え３６、プーリ１８及びピン４８を取付ける（両端共）。
プーリ１８は内径部に玉軸受Ｄ１０５を取付け、一体でガイドバー１４に装着する。
【００４８】
図６の要領で、ストリングＡ９５、ストリングＢ９６の輪をスライダ１６の引っ掛け部に掛け、所定のルートを通して図５に示す要領でリールＡ６４の軸にリールＢ６５を取付け、Ｅ型トメワ７３を取付ける。このときに合わしてスペーサＡ５５とピン４８、ブッシュ１０２、スペーサＢ５６とピン５４及びブッシュ１０２、スペーサＢ５６とピン５９を取付ける。
【００４９】
平歯車Ｅ８７を玉軸受Ｂ８９に通し、リールＡ６４を通して玉軸受Ｃ９０に組込む。
（図５参照）
【００５０】
スライダ１６を左端に移動した状態で、リールＢ６５にストリングＢ９６を巻き取り、ストリングの張りを調整する。必要ならリールＡ６４にもストリングＡ９５を巻き取り、適度な張りが得られる位置で両リールのピン穴を合せてスプリングピン３０を３箇所にできるだけ等分ピッチに近い配置で挿入する。（図５参照）
【００５１】
マイクロスイッチの電気配線をガイドバー１４の上面に設けた溝を通し、軸部の穴を通して外に出しておく。（図５、６参照）
【００５２】
平歯車Ｂ８４を手で回してスライダ１６がスムースに移動することを確認する。
（図５、６参照）
【００５３】
プランジャ３７をガイドバー１４に取付け後、軸部を軸受Ａ１２及び軸受Ｂ１３に挿入し、両軸受を支点台１１に取付ける。軸受Ａ１２に挿入時、電気配線は軸受下部に設けた切り欠き部から外に出しておく。（図５参照）
【００５４】
鼻当て４７を取付ける。（図４参照）
【００５５】
必要に応じモータ座２８の取付け位置を微調整し、リールＡ６４、リールＢ６５を手で動かして、歯車機構及びスライダ１６がスムースに回転・移動することを確認する。
（図５、６参照）
【００５６】
カバー１５をガイドバー１４上面に取付け、その後、指標１７を取り付ける。
リールカバーＣ３５を取付ける。（図５、６参照）
【００５７】
電気配線を受け台１０の穴を通して支柱部内部に落としながら支点台１１を受け台１０に乗せ、受け台１０、接続座９及び支点台１１をボルトＢ４６、ナット５０及びバネザガネ５１で３枚締めする。（図４参照）
【００５８】
支柱部内部に落とした電気配線と操作箱の配線を結合する。配線は、受け台のレベル調整の為、調整範囲分の伸び代を十分に確保して支柱内に収納し、ボトムキャップ３９を取付ける。（図４参照）
【００５９】
図２０に回路図を示す。
本装置では、当初、トレーニング者自身が主体的に行動するため特別な自動装置は必要ないと考えていたが購買意欲に訴える為には自動化が必要と考え直し、ＩＣチップ等を利用して起動時の一定方向への移動と折返し点での自動反転機能及び任意の位置での手動反転機能を追加した。指標の折返し毎に単音の電子音を奏で、５往復目と１０往復目には短時間に単音３回の電子音を奏鳴し、１５往復目ではモード変更の合図も兼ねて、５往復毎と同じ単音３回を１回分とした音を３回連続で奏鳴する機能を持たせた。更にモード変更の手間時間を往復カウントの中に考慮する為、直後のモードの最初の５往復目に相当する電子音を６往復目で奏でるように設定することで、１往復分（約９秒）の時間的遊びを確保した。（図２１参照）。（モードの変更操作は手動で行う。）
往復のカウント表示や電源切り忘れに対するタイマーによる電源ＯＦＦの機能は将来必要が生ずれば追加する。
電源として電池（実施例の場合、ＤＣ１２Ｖ）の使用も可能であるが、現段階では電池の寿命の短さを考えると家庭用ＡＣ１００Ｖ電源のコンセントからＡＣ／ＤＣコンバータを利用して供給する方が使い勝手が良いため、図２０の回路図では省略した。
【００６０】
以下に、本実施例に示す装置の電気的特徴を述べる。
・直流電源１２Ｖで駆動する。（ＡＣ１００Ｖ電源からＡＣ／ＤＣ変換）
・照光式電源スイッチを使用。
・電源ＯＮで起動し、一定方向（左方）へ移動する。折返し点では自動反転する。
・往復のカウントは、最初の折返しから開始する。手動による反転スイッチを備え、任意の位置で反転が可能。ただし、手動による反転操作は往復カウントに勘定せず、両端のマイクロスイッチが、左→右→左と連続して作動したときにのみ１往復としてカウントする。
・折返し毎に単音の電子音を奏鳴。
・一定往復数ごと（マイクロスイッチの一定作動回数ごと）に２種類の電子音を奏鳴。
・スライダのスピード及びブザー音量の調整つまみを有す。
【実施例２】
【００６１】
機能的には実施例１と同じであるが、モータ１９をガイドバー７５（形状が違うので実施例１とは符号を変更。以下同様の変更あり。）に直付けした場合の例を提供する。
【００６２】
本装置の外形図を図１１〜１３に示す。本装置の使用法は実施例１に同じ。
【００６３】
本装置の構成は実施例１と同様に、脚部、支柱部、受け台部及び駆動用モータ部と一体になったガイドバー部からなる。実施例１と部分的に異なる受け台部及びガイドバー部についてのみ以下に記述する。
【００６４】
受け台部は図１４に示すように、受け台１０の下面の接続座９と支柱部との接続は実施例１と同じ。同様に上面は支点台８１、クッション５７、軸受Ａ９７、軸受Ｂ９８、ガイドバー７５の角度割出し用リテイナプレート３８及び鼻当て４０を備えている。
【００６５】
クッション５７と鼻当て４０の役割は実施例１と同じ。また、実施例１と同様に受け台１０と支点台８１の中心部及び支点台８１の前・後面にも電気配線のために溝を設けている。
【００６６】
ガイドバー部は、ガイドバー７５とこれに付属する部品からなり、図６〜９及び図
１４、１５に詳細を示す。モータ１９はガイドバー７５にモータ座２１を介して直付けする。
【００６７】
図１４では、ガイドバー７５中央部の軸部形状及びプランジャ３７の取付け配置状況等を示す。プランジャ３７の取付配置は実施例１と同じであるが、ガイドバー反対側の上部と後面及び軸中心部には、モータ１９からの電気配線を引出す溝と穴を設けている。
【００６８】
図１５は、モータ１９の取付状態とリールＡ２６、リールＢ２７、ストリングＡ３２及びストリングＢ３３の組込要領図を示す。
【００６９】
モータ座２１にモータ１９を取り付け、モータ座２１をガイドバー７５の所定位置に取り付ける。
【００７０】
ストリングＡ３２、ストリングＢ３３の取付要領はリールＡ２６がモータ軸に直付け
で支持される事になる以外基本的に実施例１と同様である。
【００７１】
回路図は実施例１と同じ。
【実施例３】
【００７２】
実施例１は、トレーニング者の便を考えて脚部の位置を変えずに受け台１０を９０度回してトレーニングができる装置を提供したが、多少不便でも安価な方が良いという人のために受け台１０、接続座９及び上部支柱３を一体化して新たな受け台９９とした装置を提供する。
【００７３】
実施例１の一部を修正した実施例３の断面構造を図１６に示す。
【００７４】
使用方法はオリジナルとほぼ同じであるが、「目線の上下方向」と「遠近方向」のト
レーニングの際に脚部ごと全体を９０度回して置き直して使用することが異なる。
【００７５】
回路図は実施例１と同じ。
【実施例４】
【００７６】
実施例２は、実施例１と同様に使用者の便を考えて脚部の位置を変えずに受け台１０を
９０度回してトレーニングができる装置を提供したが、実施例３と同様に多少不便でも安価な方が良いという人のために実施例２の受け台１０、接続座９と上部支柱３を一体化して新たな受け台９９とした装置を提供する。
【００７７】
実施例２の一部を修正した実施例４の断面構造を図１７示す。
【００７８】
使用方法はオリジナルとほぼ同じであるが、実施例３と同様、「目線の上下方向」と「遠近方向」トレーニングの際に脚部ごと全体を９０度回して置き直して使用することが異なる。
【００７９】
回路図は実施例１と同じ。
【実施例５】
【００８０】
更に便利さよりも安さを求める利用者のために、ハンディタイプを提供する。（図１８，１９参照）
【００８１】
受け台より下の部材を無くし、支点台の取り付け部を握り部に変更して新たな支点台
７４とし、ガイドバー部には実施例２の形を組み合わせる。
【００８２】
操作箱１００は支点台７４の背面に取付ける。電気的機能は他の実施例と同じである
が、取り付け場所の制約から形状を小さくした。
【００８３】
回路図は実施例１と同じ。
【図面の簡単な説明】
【００８４】
【図１】（ａ）正面図  左右水平、斜め上下方向の眼筋トレーニングの要領図        （ｂ）側面図  左右水平、斜め上下方向の眼筋トレーニングの要領図
【図２】（ａ）正面図  目線の上下方向の眼筋トレーニングの要領図        （ｂ）側面図  目線の上下方向の眼筋トレーニングの要領図
【図３】側面図  遠近方向の眼筋トレーニングの要領図
【図４】組立断面図
【図５】（ａ）断面Ａ−Ａ、ストリングＡ，ＢとリールＡ，Ｂの関係図        （ｂ）ガイドバー中央部断面図  モータ駆動部詳細組立断面図        （ｃ）断面Ｂ−Ｂ  歯車列詳細図及び最大傾斜時の支点台とガイドバーとの位置関係を示す。
【図６】スライダとストリングＡ、Ｂの取付要領及びストリングのルート図
【図７】カバー形状詳細図
【図８】指標詳細外形図
【図９】脚部及び操作箱平面図。
【図１０】受け台部平面図
【図１１】（ａ）正面図  左右水平、斜め上下方向の眼筋トレーニングの要領図          （ｂ）側面図  左右水平、斜め上下方向の眼筋トレーニングの要領図
【図１２】（ａ）正面図  目線の上下方向の眼筋トレーニングの要領図          （ｂ）側面図  目線の上下方向の眼筋トレーニングの要領図
【図１３】側面図  遠近方向の眼筋トレーニングの要領図。
【図１４】組立断面図
【図１５】（ａ）ストリングＡ，ＢとリールＡ，Ｂの関係図          （ｂ）ガイドバー直付けのモータ駆動部詳細図
【図１６】組立断面図
【図１７】組立断面図
【図１８】（ａ）正面図  左右水平、斜め上下方向の眼筋トレーニングの要領図          （ｂ）側面図  左右水平、斜め上下方向の眼筋トレーニングの要領図
【図１９】（ａ）正面図            （ｂ）組立断面図
【図２０】回路図
【図２１】自動運転概略フロー図
【符号の説明】
【００８５】
１  脚
２  下部支柱
３  上部支柱
４  押えネジ
５  プッシュリング
６  ロックリング
８  ロックナット
９  接続座
１０、９９  受け台
１１、７４、８１  支点台
１２、９７  軸受Ａ
１３、９８  軸受Ｂ
１４、７５  ガイドバー
１５  カバー
１６  スライダ
１７  指標
１９  モータ
２０、８２  モータカバー
２２  リールカバーＡ
２３  リールカバーＢ
２６、６４  リールＡ
２７、６５  リールＢ
２９，３０  スプリングピン
３１  オーバルスリーブ
３２、９５  ストリングＡ
３３、９６  ストリングＢ
３４  マイクロスイッチ
３５  リールカバーＣ
３６  マイクロスイッチ押え
３７  プランジャ
３８  リテイナプレート
３９  ボトムキャップ
４０、４７  鼻当て
４２  バランスウェイト
４３  ナガナット
４４  アジャスタ
５７  クッション
５８  針状ころ軸受
６６、１００  操作箱
６７  電源コンセント
６８  電源ＯＮ／ＯＦＦスイッチ
６９  音量調整つまみ
７０  スピード調整つまみ
７１  反転スイッチ
７８、７９、８０、１０１  配線カバー
８３  平歯車Ａ
８４  平歯車Ｂ
８５  平歯車Ｃ
８６  平歯車Ｄ
８７  平歯車Ｅ
８８  玉軸受Ａ
８９  玉軸受Ｂ
９０  玉軸受Ｃ
９１  グリップ
９２  ブザー
１０２  ブッシュ
１０５  玉軸受Ｄ
【手続補正３】
【補正対象書類名】図面
【補正対象項目名】全図
【補正方法】変更
【補正の内容】
【図１】
2005329185.tif 000001
【図２】
2005329185.tif 000002
【図３】
2005329185.tif 000003
【図４】
2005329185.tif 000004
【図５】
2005329185.tif 000005
【図６】
2005329185.tif 000006
【図７】
2005329185.tif 000007
【図８】
2005329185.tif 000008
【図９】
2005329185.tif 000009
【図１０】
2005329185.tif 000010
【図１１】
2005329185.tif 000011
【図１２】
2005329185.tif 000012
【図１３】
2005329185.tif 000013
【図１４】
2005329185.tif 000014
【図１５】
2005329185.tif 000015
【図１６】
2005329185.tif 000016
【図１７】
2005329185.tif 000017
【図１８】
2005329185.tif 000018
【図１９】
2005329185.tif 000019
【図２０】
2005329185.tif 000020
【図２１】
2005329185.tif 000021